(57)【要約】【課題】不正行為を困難にする一方、信頼性を損ねることなく管理情報を変更することができ、もって回路基板の再利用を効率よく実施することができる遊技機を提供すること。【解決手段】遊技等の動作を制御する回路基板３０に、電子部品が実装された電子部品実装領域３０ａと、回路基板３０を管理する管理番号などの複数種類の異なる管理情報がそれぞれ記載された複数個所の管理情報領域３０ｂとが設けられ、かつ回路基板３０を透明のケース部材５で被覆せしめた遊技機において、ケース部材５の内面部には、回路基板の複数箇所の管理情報領域３０ｂのうち、有用でない管理情報のある管理情報領域３０ｂを覆い隠す遮蔽部材４３を設け、かつ遮蔽部材４３を前記ケース部材５の内面部へカシメ固定せしめた。【選択図】        図９
2014030708.tif 000002
【特許請求の範囲】
【請求項１】
遊技等を制御する回路基板に、電子部品が実装された電子部品実装領域と、回路基板を管理する管理番号などの複数種類の異なる管理情報がそれぞれ記載された複数個所の管理情報領域とが設けられ、かつ回路基板を透明のケース部材で被覆せしめた遊技機において、
前記ケース部材の内面部には、前記回路基板に設けられた前記複数箇所の管理情報領域のうち、有用でない前記管理情報が記載された管理情報領域を覆い隠す遮蔽部材を設け、かつ遮蔽部材を前記ケース部材の内面部へカシメ固定せしめて遮蔽部材の移動を禁止せしめたことを特徴とする遊技機。
【請求項２】
請求項１に記載の遊技機において、
前記遮蔽部材を不透明の板部材で構成し、該板部材を、前記回路基板の有用でない前記管理情報が記載された管理情報領域を覆い隠すようにケース部材の内面部に重ね合わせ、遮蔽部材およびケース部材を一連に貫通するピン部材を用いてカシメ固定せしめたことを特徴とする遊技機。
【発明の詳細な説明】
【技術分野】
【０００１】
本発明はパチンコ機やパチスロ機などの遊技機に関する。
【背景技術】
【０００２】
パチンコ機やパチスロ機は、遊技を電気的に制御するための主制御基板などの各種回路基板が設けられている。これらの回路基板には、遊技機の製造業者名および回路基板の型式を特定するための管理番号等、様々な固有の管理情報が、印刷（刻印）されている。
ところで回路基板は同系列グループの複数の企業間で共用することが行われている。このため回路基板には、予め回路基板を使用する各企業に応じた複数の管理情報が印刷され、回路基板を使用する際、使用する企業に応じて有用な管理情報を残し、不要な情報を除去することが行われている（例えば下記特許文献１参照）。
【０００３】
特許文献１には、回路基板の各管理情報が印刷されたそれぞれの部位を切除可能に構成しておき、基板を使用する際に不要な管理情報が印刷された部分を切除する構成が記載されている。
また従来の他の構成では、回路基板に印刷された複数の管理情報のうち、不要な情報の印刷を視認不能に消去するものもある（下記特許文献２参照）。
【先行技術文献】
【特許文献】
【０００４】
【特許文献１】特開２０１１−１８９０８６号公報
【特許文献２】特開２００３−３１０９７９号公報
【発明の概要】
【発明が解決しようとする課題】
【０００５】
ところで近年、エコの観点から使用された回路基板を回収して再利用することが行われている。しかしながら、従来の不要な管理情報を切除あるいは消去する手法では、残された管理情報が示す企業でしか再利用できないため、効率よく再利用することができない。他の企業が再利用するには新たに管理情報を印刷し直すことも考えられるが、狭隘な回路基板のスペースに新たな印刷スペースを確保すること、および電子部部品が実装された回路基板に新たに情報を刷印することは困難であり現実的ではない。
更に、管理情報は、回路基板および遊技機自体の信頼性を裏付ける重要な事項であるため、不正行為などで容易に変更できるものであってはならない。
そこで、本発明は上記事情に鑑み、信頼性を損ねることなく容易に管理情報の設定を変更することができ、もって回路基板の再利用を効率よく実施できる遊技機を実現することを課題としてなされたものである。
【課題を解決するための手段】
【０００６】
請求項１に記載の発明は、遊技等を制御する回路基板に、電子部品が実装された電子部品実装領域と、回路基板を管理する管理番号などの複数種類の異なる管理情報がそれぞれ記載された複数個所の管理情報領域とが設けられ、かつ回路基板を透明のケース部材で被覆せしめた遊技機において、
前記ケース部材の内面部には、前記回路基板に設けられた前記複数箇所の管理情報領域のうち、有用でない前記管理情報が記載された管理情報領域を覆い隠す遮蔽部材を設け、かつ遮蔽部材を前記ケース部材の内面部へカシメ固定せしめて遮蔽部材の移動を禁止せしめる構成とする。
【０００７】
これによれば、遮蔽部材を用いることで、有効な固有情報と無効な固有情報を、視認性において明確に差別化することができる。また遮蔽部材をケース部材内部の回路基板に近い位置に設けることが望ましく、遮蔽部材を基板に近づけることにより無効な管理情報を効果的に隠すことができ、情報の見間違い、誤認を防止することができる。
更に遮蔽部材をケース部材の内部に設け、かつ遮蔽部材をケース部材へカシメ固定したので、一旦設定された有効又は無効の管理情報が誤って或いは故意（悪意）により変更され難く、変更には遮蔽部材のカシメ固定の解除といった一定の困難性を伴うので、有効な管理情報および遊技機の信頼性を損なわない。
例えば遮蔽部材をケース部材へカシメ固定する構造として、両者を貫通するカシメピンにより固定し、遮蔽部材をケース部材から取外すにはカシメピンを破断せざるを得ない構成とすることが望ましい。これによれば不正に遮蔽部材を取外すとその痕跡が遮蔽部材、ケース部材に残るので容易に不正を見つけることができる。
そして従来のように管理情報を回路基板から除去していないので、正規に遮蔽部材を移動させ、回路基板を新たなケースに移し変えることで、有効な管理情報を変更することができ、もって回路基板の再利用を容易に実施することができる。
【０００８】
請求項２に記載の発明は、請求項１に記載の遊技機において、
前記遮蔽部材を不透明の板部材で構成し、該板部材を、前記回路基板の有用でない前記管理情報が記載された管理情報領域を覆い隠すようにケース部材の内面部に重ね合わせ、遮蔽部材およびケース部材を一連に貫通するピン部材を用いてカシメ固定せしめる。
【０００９】
これによれば、有用でない前記管理情報が記載された管理情報領域を好適に覆い隠すことができる。
【図面の簡単な説明】
【００１０】
【図１】本発明を適用した遊技機の正面図である。
【図２】前記遊技機の背面における電気的装置の配置状態を示す図である。
【図３】本発明の第１の実施形態の遊技機の回路基板の組付け構造を示す分解斜視図である。
【図４】図４（ａ）は前記遊技機の回路基板の組付け構造の組付け状態を示す正面図、図４（ｂ）はIV―IV線に沿う位置での断面図である。
【図５】図５（ａ）は前記遊技機に用いる他の遮蔽部材の組付け構造を示す要部分解斜視図、図５（ｂ）はＶ―Ｖ線に沿う位置での断面図である。
【図６】本発明の第２の実施形態の遊技機の回路基板の組付け構造を示す分解斜視図である。
【図７】図６のVII−VII線に沿う断面図である。
【図８】前記遊技機に用いる他の遮蔽部材の組付け構造を示す要部分解斜視図である。
【図９】前記遊技機に用いる更に他の遮蔽部材の組付け構造を示す要部の水平断面図である。
【図１０】本発明の第３の実施形態の遊技機の回路基板の組付け構造を示す分解斜視図である。
【図１１】図１０のXI−XI線に沿う断面図である。
【図１２】図１１のXII−XII線に沿う断面図である。
【発明を実施するための最良の形態】
【００１１】
図１に示すように、遊技機であるパチンコ機１０は、縦長の固定外郭保持枠をなす外枠１１に、ヒンジ１３を介して、前枠１２および図略の内枠が開閉可能に設けられている。前枠１２には板ガラス２１が嵌められ、板ガラス２１の奥には前記内枠に保持された遊技盤２０が配置されている。図は省略するが遊技盤２０には、遊技の進行に応じて図柄を変動表示せしめる表示装置、遊技球を入球させる複数の入球口や入賞口が設けられている。
【００１２】
前枠１２の下半部には上下に上皿１５と下皿２３とが設けられている。下皿２３の右側には発射ハンドル２４が設けられ、該発射ハンドル２４を操作することにより上皿１５から供給された遊技球が遊技盤２０に向けて発射される。発射された遊技球が入賞すると、上皿１５に賞球が払い出される。また下皿２３は上皿１５から溢れた賞球を受ける。
本パチンコ機１０はいわゆるＣＲ機であって、プリペイドカードの読み書きを行うプリペイドカードユニット(ＣＲユニット)１６が付設されている。
【００１３】
図２に示すように、パチンコ機１０の背面側には、前記遊技盤および内枠の背面に、遊技の動作を制御する主制御基板３０、前記表示装置を制御する図柄制御基板３１、音声やランプを制御する音声ランプ制御基板３２、賞球の払出や遊技球の発射を制御する賞球発射制御基板３３、電源基板３４、これらの他に分電基板や各種の中継基板などが設置されている。これらの基板類は透明な合成樹脂のケース部材に収納され、前記背面に取付けられている。
【００１４】
制御基板のなかでも主制御基板３０はマイコンを構成するＣＰＵ、ＲＯＭ、ＲＡＭ等の電子部品が多数実装された回路基板からなり、パチンコ機をマイコンによりプログラム制御するものであり、ケース部材に収納することによりＲＯＭの変更等によるプログラムが変更されるといった不正行為を防止する役割をなす。
【００１５】
ところで各制御基板は、同系列グループの複数の企業間で共用することが行われている。このため制御基板には、予め基板を共用する企業に応じた複数の管理情報が記載されている。そして制御基板をケース部材に組付ける際に、使用する企業に応じて有用な管理情報のみがケース部材の外部から視認でき、不要な情報を隠すようにしている。
以下、本発明を適用した第１の実施形態を主制御基板３０のケース部材への組付け構造を用いて説明する。
【００１６】
図３および図４に示すように、主制御基板３０は左右方向の横幅が長い長方形状をなす。主制御基板３０の板面は、前記ＣＰＵ、ＲＯＭ、ＲＡＭ等の電子部品（図略）やコネクタ類３０１が多数実装された電子部品実装領域３０ａと、基板の下縁に沿って主制御基板３０を管理する管理番号などの管理情報が記載された管理情報領域３０ｂとが設けられている。
【００１７】
管理情報領域３０ｂは、図例では４つの領域が設けられ、各領域には基板を共用する２社の会社名や各社に対応する管理番号等が記載されている。図例の並びは会社名、会社名、管理番号、管理番号である。
そして管理情報領域３０ｂのうち、基板３０を使用する一方の会社名と該会社に対応する一方の管理番号を残し、他方の会社名および他方の管理情報が記載された領域をそれぞれ遮蔽部材４０により覆い隠し、ケース外部からの視認が不可能な構成とされる。
【００１８】
遮蔽部材４０は、薄い不透明な合成樹脂板で、管理情報領域３０ｂのひと枡の大きさ、形状に合わせてある。遮蔽部材４０は裏面に接着剤が塗布してあり、これにより不要な会社名および管理番号を覆い隠すように管理情報領域３０ｂの表面に貼着してある。図例では左端の領域より一つ置きに遮蔽部材４０を貼り付けて不要な会社名および管理番号が隠してある。
【００１９】
ケース部材５は、主制御基板３０をその裏面側より受ける浅い角形容器状のベース部材５ｂと、主制御基板３０をその表面側より被覆する浅い角形容器状の蓋部材５ａとからなる。
ベース部材５ｂは透明な合成樹脂の一体成形品からなり、長方形の略平板状の底面をなす底壁部５０を有する。ベース部材５ｂには、底壁部５０の長辺からなる上端縁および下端縁にそれぞれ、底壁部５０の表面側に突出し、かつ横方向(図３の左方向)に向けてほぼ直角に屈曲する略Ｌ字状の係止爪５０１が所定の間隔をおいて複数設けられている。
【００２０】
ベース部材５ｂには、前記係止爪５０１の屈曲方向の側部に側壁 (図３の左側、以下、左側壁という)５１が形成され、左側壁５１には上端寄りおよび下端寄りの位置にそれぞ
れ、前記屈曲方向に沿う左横方向へ突出する舌片状の突出片５０２が上下一対設けられている。
一方、ベース部材５ｂの右側壁５２には、上端位置および下端位置にそれぞれ、ベース部材５ｂと蓋部材５ａとを連結固定する際に用いるカシメ用のボス５０３が上下一対形成されている。
【００２１】
蓋部材５ａはベース部材５ｂと同様に透明な合成樹脂の一体成形品からなる。蓋部材５ａは主制御基板３０の表面を覆う長方形状の表壁部５５と、外周に表壁部５５の上縁、下縁および左右の側縁からからほぼ直角に屈曲する壁状の周壁５７を備える。
蓋部材５ａには、表壁部５５の４隅付近に設けられたねじ穴からなる複数の締結部５５１に主制御基板３０の４隅がねじ締め固定されて蓋部材５ａの裏側に主制御基板３０が組付けられる。
【００２２】
蓋部材５ａの表壁部５５は上端部および下端部を除く一般部が表面側へ大きくせり出しており、主制御基板３０の表面に実装された電子部品と干渉しない形状である。
前記一般部に比べてせり出しの小さい表壁部５５の上端部は、主制御基板３０の表面上端に立設する複数のコネクタ類３０１に対応して複数のコネクタ挿通穴が設けられコネクタ類３０１を貫通可能である。図３の５５６は主制御基板３０のコネクタ類３０１類のうちの小型コネクタに応じてこれらを挿通せしめるように設定された補助板で、補助板５５６により表壁部５５の上端部に形成された大型のコネクタ挿通穴と前記小型コネクタとの隙間を覆い隠す。
表壁部５５の下端部５５０は、主制御基板３０の管理情報領域３０ｂに対応し、管理情報領域３０ｂには電子部品がない分、下端部５５０のせり出し量が小さくしてある。この様に下端部５５０のせり出し量を小さくすることで、管理情報領域３０ｂと下端部５５０の内面部との間隙が小さくなるから、遮蔽部材で隠していない管理情報の視認性を良好にできる。
【００２３】
蓋部材５ａの前記周壁５７の上壁部および下壁部には、これらの内面側に、前記ベース部材５ｂの各係止爪５０１に対応してこれらを係合可能な係合部５５２が複数設けられている。係合部５５２は前記係止爪５０１のＬ字状の屈曲先端を横方向に嵌合係止可能とするものである。
【００２４】
蓋部材５ａの周壁５７の左側壁には、前記ベース部材５ｂの左側壁５１の各突出片５０２に対応してこれらを嵌入可能の角形筒状の嵌合穴５７１が上下一対設けられている。
蓋部材５ａの右側壁５８には、前記ベース部材５ｂの右側端のカシメ用のボス５０３に対応するボス５５４が上下一対形成されている。
【００２５】
ベース部材５ｂと蓋部材５ａとを組付けるには、先ず、ベース部材５ｂを右側へ、蓋部材５ａを左側へ交互にずらした状態で両部材５ａ，５ｂを表裏方向に対向せしめ、蓋部材５ａの周壁５７の上下の壁部とベース部材５ｂの上下の端縁とを前記対向方向（図３の矢印Ｔ方向）に衝合させる。このときベース部材５ｂの上下の端縁の各係止爪５０１が蓋部材５ａの上下の壁部の各係合部５５２間に位置するようになし、かつベース部材５ｂの前記各突出片５０２が蓋部材５ａの各嵌合穴５７１と対向するようにベース部材５ｂと蓋部材５ａとを組み合わせる。
【００２６】
次に、ベース部材５ｂと蓋部材５ａとを、ベース部材５ｂの底壁部５０の壁面に沿う左右横方向(図３の矢印Ｓ方向)に互い相対移動せしめ、ベース部材５ｂの各係止爪５０１を蓋部材５ａの各係合部５５２に嵌合係止せしめ、ベース部材５ｂの各突出片５０２を蓋部材５ａの各嵌合穴５７１に嵌入せしめ、ベース部材５ｂと蓋部材５ａの左側壁５１，５７同志、および右側壁５２，５８同志を衝合せしめるとともに、ベース部材５ｂのカシメ用の各ボス５０３と蓋部材５ａの各ボス５５４とを重ね合わせる。
そして、両ボス５０３，５５４に圧入した金属ピンからなるカシメ部材により両ボス５０３，５５４をカシメ固定することにより、ベース部材５ｂと蓋部材５ａとが組付け固定される。
【００２７】
このように組付けられた主制御基板３０とケース部材５とは、これらを正面から見ると、ケース部材５の表壁部５５の下端部５５０を通して主制御基板３０の管理情報領域３０ｂの遮蔽部材４０で隠されていない管理情報の会社名および管理番号等が明確に視認され得る。
遮蔽部材４０を用いることで、有効な管理情報と無効な管理情報を、視認性において明確に差別化することができる。また遮蔽部材４０を主制御基板３０の板面上に設けたので、確実に無効な管理情報のみを隠すことができ、情報の見間違い、誤認を防止することができる。
【００２８】
更に遮蔽部材４０をケース部材５の内部側に設け、かつケース部材５をそのベース部材５ｂと蓋部材５ａとをカシメ固定して封印したので、作業者による遮蔽部材４０への接触、干渉はケース部材５を開封しなければ行えず、一旦設定された有効、無効の管理情報が誤って或いは故意（悪意）により変更され難く、変更にはケース部材５を開封しなければならないといった一定の困難性を伴うので、有効な管理情報および遊技機の信頼性を損なわない。
また主制御基板３０は不正ＲＯＭへの交換と言った不正行為を防止する観点からケース部材５を封印しなければならず、遮蔽部材を基板上に接着してケース内部に設置することで遮蔽部材４０の不正操作を防止することに関しても有利である。
【００２９】
ケース部材５は、そのベース部材５ｂと蓋部材５ａとがそれらの係止爪５０１と係合部５５２、突出片５０２と嵌合穴５７１とが係合され、更に両者のカシメ用のボス５０３，５５４とをカシメ固定したので強固に封印されており、主制御基板３０を不正に操作しようとすると、ケースを破壊せざるを得ず、不正にケース部材５を開封するとその痕跡がケース部材５に残るので容易に不正行為が発見できる。
【００３０】
そして主制御基板３０は、従来のように有用でない管理情報を基板から除去していないので、正規に他社が使用できるように容易に変更できる。即ち、ケース部材５を破壊して主制御基板３０を取り出し、遮蔽部材４０を剥がして位置を変え、主制御基板３０を新たなケース部材５に封印することで、有効な管理情報を変更することができ、もって制御基板の再利用を容易に実施することができる。
【００３１】
本実施形態において、制御基板に設ける遮蔽部材として、不透明な紙製のシール部材や薄い不透明の合成樹脂シートからなるシール部材でもよい。これらによれば遮蔽部材の厚みをより薄くできるから、前記下端部５５０のせり出し量を更に小さく設定でき、隠していない管理情報の視認性が向上する。
更に遮蔽部材として図５に示すように、下縁部を断面ほぼＵ字形に折り返し成形した挟持部４１１を有する遮蔽部材４１を用い、一般部４１０で基板３０の不要な管理情報領域３０ｂを覆い隠すとともに、挟持部４１１に基板３０の下縁を圧入して、遮蔽部材４１を基板３０に設置する構成としてもよい。
【００３２】
更に他の遮蔽部材として、不透明の合成樹脂板の下端部裏面にクリップ部を設け、該クリップ部により回路基板に係止するように構成してもよい。更に、嵌着、鋲着、螺着といった周知の構造により遮蔽部材を回路基板に取付けるようにしても何等問題はない。回路基板およびパチンコ機の搬送時や据え付け作業時の振動を受けても振動に耐え、遮蔽部材がずれたり外れたりせずに遮蔽状態が維持できる程度の取付けであればよい。
【００３３】
図６、図７に基づいて本発明の第２の実施形態を説明する。本実施形態の基板の組付構造は、基板の有用でない管理情報が記載された領域をケース部材の内面に設けた遮蔽部材により覆い隠してケース外部から見えないように構成したものである。尚、本実施形態の基本構成は、遮蔽部材の設置に関する構成を除いて、前記第１の実施形態のそれとほぼ同じで、相違点を中心に本実施形態の構成を説明する。図において同一部材は同一符号で表す。
【００３４】
図６、図７に示すように、遮蔽部材４２は薄い不透明の合成樹脂板からなり、その表面には接着剤が塗布されている。そして遮蔽部材４２は、主制御基板３０の管理情報領域３０ｂに対向するケース部材５の蓋部材５ａの表壁部５５の下端部５５０の内面部に、不要な管理情報が記載された領域を覆い隠すように貼着せしめてある。例えば図例では左から２番目と４番目の管理情報を覆い隠すように、これら情報の正面位置で、それぞれ複数の遮蔽部材４２を前記下端部５５０の内面部に貼着せしめてある。
【００３５】
このように遮蔽部材４２をケース部材５の蓋部材５ａの内側に設置した後、第１の実施形態と同様に、蓋部材５ａの内側に主制御基板３０を組付け、ケース部材５のベース部材５ｂと蓋部材５ａとを組付けて封印する。即ち、主制御基板３０はその四隅を蓋部材５ａの裏面にネジ締め固定して組付けられる。基板３０を組付けた後、ケース部材５のベース部材５ｂと蓋部材５ａとを左右交互にずらした状態で両部材５ａ，５ｂを表裏方向（図６の矢印Ｔ方向）に衝合させる。
【００３６】
次に、両部材５ｂ，５ａを左右横方向(図６の矢印Ｓ方向)に互い相対移動せしめ、ベース部材５ｂの各係止爪５０１を蓋部材５ａの各係合部５５２に嵌合係止せしめ、ベース部材５ｂの各突出片５０２を蓋部材５ａの各嵌合穴５７１に嵌入せしめ、ベース部材５ｂと蓋部材５ａの左側壁５１，５７同志、および右側壁５２，５８同志を衝合せしめるとともに、ベース部材５ｂのカシメ用の各ボス５０３と蓋部材５ａの各ボス５５４とを重ね合わせる。
そして、両ボス５０３，５５４に圧入した金属ピンからなるカシメ部材により両ボス５０３，５５４をカシメ固定することにより、ベース部材５ｂと蓋部材５ａとが組付け固定される。
【００３７】
本実施形態によれば、前記第１の実施形態と同様の作用効果を奏する。尚、制御基板３０の管理情報領域３０ｂと遮蔽部材４２が設置されるケース部材５の蓋部材５５の下端部５５０の内面との間隔はできる限り小さくすることが望ましい。
また本実施形態では、遮蔽部材４２をケース部材５側に設けたので、基板３０を正規に再利用する際に、基板３０に前に使用されていた痕跡を残さずに済み、好適に再利用できる。また不正に基板３０や遮蔽部材４２を操作（変更）しようとすると、封印をとくためにケース部材５を破壊しなければならず、不正を容易に発見することができる。
【００３８】
ケース部材の内面側に遮蔽部材を設ける前記第２の実施形態の他の構造として、図８に示すように、蓋部材５ａの表壁部の下端部５５０の内面に保持部６０を設けてこれにより遮蔽板４３を取付けるようにしてもよい。
前記下端部５５０の内面には、不透明の合成樹脂板からなる遮蔽部材４３の横幅分の間隔をおいて縦方向に延びる左右一対の保持部６０を設ける。保持部６０は下端部５５０の内面に一体成形され、下端部５５０の内面から起立する基部６０１と、その先端縁と直交する先端部６０２とで横断面ほぼＬ字形を有し、下端部５５０の内面とで縦方向に延び、遮蔽部材の側縁部を圧入可能な溝を構成する。また左右の保持部６０は、前記内面とで構成する溝がそれぞれ互いに向かい合うように形成する。更に左右の保持部６０はそれぞれ下端が蓋部材５ａの周壁５７の内面に至り、前記溝の下端を周壁５７により閉じる。尚、中間位置の保持部６０は左右両側の遮蔽部材４３の側縁を保持可能なように断面ほぼＴ字形として左右両側に前記溝を設けることが望ましい（図８の左側又は図９の右側の保持部を参照）。
【００３９】
そして、遮蔽部材４３を取付けるには、その左右の側縁部を、蓋部材５ａの下端部５５０の内面の左右の保持部６０の前記各溝内へそれらの上端開口から下方へ向けて圧入し、遮蔽部材４３を蓋部材５ａの下端部５５０の内面に重ね合わせるように取付ける。勿論、制御基板３０を蓋部材５ａに取付けて、蓋部材５ａとベース部材５ｂとを組付けた後、ケース部材５は封印する。
【００４０】
更に、前記第２の実施形態の他の構造において、図９に示すように、遮蔽部材４３を蓋部材５ａの下端部５５０の内面にカシメ固定してもよい。尚、図９は遮蔽部材４３を下端部５５０の内面に保持せしめた状態の水平断面を示す図で、下端部５５０の内面に重ね合わせるように左右一対の保持部６０により保持せしめた遮蔽部材４３を、下端部５５０と遮蔽部材４３とを一連に貫通せしめた金属製のカシメピンＰによりカシメ固定せしめる。カシメピンＰは下端部５５０および遮蔽部材４３から突出する両端を潰して拡径することによりカシメ固定する。
【００４１】
このように遮蔽部材４３をカシメ固定すれば、遮蔽部材４３への不正操作（移動等）の防止に関してケース部材を封印する必要がない。従って、ＲＯＭ交換と言った基板への不正行為のおそれがない基板、例えば前記音声ランプ制御基板３２や電源基板３４および分電基板や各種の中継基板にケース部材を封印することなく本構成を用いることができる。
尚、遮蔽部材４３を不正に操作するにはカシメピンを切断してカシメ固定を開放しなければならず、不正を容易に発見できる。
【００４２】
次に図１０ないし図１２に基づいて本発明の第３の実施形態を説明する。本実施形態は、本実施形態の基板の組付け構造は、基板の有用でない管理情報が記載された領域をケース部材の外面に設けた遮蔽部材により覆い隠すように構成したものである。尚、本実施形態の基本構成は、遮蔽部材の設置に関する構成を除いて、前記第１の実施形態のそれとほぼ同じで、相違点を中心に本実施形態の構成を説明する。図において同一部材は同一符号で表す。
【００４３】
図１０ないし図１２に示すように、ケース部材５の蓋部材５ａの表壁部の下端部５５０の外面に保持部６１を設けてこれにより遮蔽板４４を取付ける。
前記下端部５５０の外面には、不透明の合成樹脂板からなる遮蔽部材４４の横幅分の間隔をおいて縦方向に延びる左右一対の保持部６１を複数設ける。保持部６１は下端部５５０の外面に一体成形され、下端部５５０の外面から起立する基部６１１と、その先端縁と直交する先端部６１２とで横断面ほぼＬ字形を有し、下端部５５０の外面とで縦方向に延び、遮蔽部材４４の側縁部を圧入可能な溝を有する基本構成をなす。左右の保持部６１は、前記外面とで構成する溝がそれぞれ互いに向かい合うように設けてある。更に左右の保持部６１の溝はそれぞれ下端が下方へ向けて開口している。尚、中間位置の保持部６１は左右両側の遮蔽部材４４の側縁を保持可能なように断面ほぼＴ字形として左右両側に前記溝を設けることが望ましい（図１２の右側の保持部を参照）。
【００４４】
そして、遮蔽部材４４は、その左右の側縁部を蓋部材５ａの下端部５５０の外面に沿って、左右の保持部６１の前記各溝内へそれらの下端開口から上方へ向かって圧入して遮蔽部材４４を蓋部材５ａの下端部５５０の外面に重ね合わせるように取付ける。
【００４５】
更に図１２に示すように、遮蔽部材４４を下端部５５０の外面に保持せしめた状態で、遮蔽部材４４を、下端部５５０と遮蔽部材４４とを一連に貫通せしめた金属製のカシメピンＰによりカシメ固定せしめる。カシメピンＰは下端部５５０および遮蔽部材４４から突出する両端を潰して拡径することによりカシメ固定する。
【００４６】
本実施形態によれば、前記第１の実施形態と同様の作用効果を奏する。尚、制御基板３０の管理情報領域３０ｂと遮蔽部材４４が設置されるケース部材５の蓋部材５５の下端部５５０の外面との間隔はできる限り小さくすることが望ましい。
また、遮蔽部材４４をケース部材５側に設けたので、基板３０を正規に再利用する際に、基板３０が前に使用されていた痕跡を残さずに済み、好適に再利用できる。また不正に基板３０や遮蔽部材４４を操作しようとすると、封印をとくためにケース部材５を破壊したり、遮蔽部材４４のカシメピンＰを破断しなければならず、痕跡が残るので不正を容易に発見することができる。
【００４７】
更に遮蔽部材４４をカシメ固定すれば、遮蔽部材４４への不正操作（移動等）の防止に関してケース部材を封印する必要がない。従って、ＲＯＭ交換と言った基板への不正行為のおそれがない基板、例えば前記音声ランプ制御基板３２や電源基板３４および分電基板や各種の中継基板にケース部材を封印することなく本構成を用いることができる。
尚、遮蔽部材４４を不正に操作するにはカシメピンＰを破断してカシメ固定を解除しなければならず、不正を容易に発見できる。つまり、破断によりカシメピンＰの一部がケース部材５の内部に残留している状態や、該残留したカシメピンＰの一部を除去するためにケース部材の封印を不正に解除した状態などが不正の痕跡として一目瞭然に残ることで、不正行為の発見が容易となる。
【００４８】
尚、特許請求の範囲に記載の本発明は前記各実施形態の構成に限定されるものではなく、本発明の要旨を逸脱しない範囲でさまざまに実施できることは勿論である。例えば、回路基板や遮蔽部材への不正行為を防止するため、ケース部材のベース部と蓋部とを接着や溶着で封止（密封）させる構造や、両者を破断ねじによって封止（密封）させる構造や、係止爪での嵌め殺しにより封止（密封）させる構造としてもよい。
【００４９】
また前記第２の実施形態の他の構造および前記第３の実施形態におけるカシメ構造として金属製のカシメピンを用いたがこれに限らず、合成樹脂製のピンでもよく、また遮蔽部材の板面又はケース部材の板面に立設せしめた一体成形のカシメピンを用い、これを相手側に設けた貫通穴を挿通せしめてピンの突出端を潰して拡径せしめてカシメ固定するようにしてもよい。
【００５０】
また前記各実施形態の回路基板３０において、管理情報領域３０ｂを回路基板の下端部に設けたものを説明しているが、これらに限らず、回路基板の構成上、適宜、基板の上端部、左端部あるいは右端部に管理情報領域を設ける構成でもよい。また、会社毎に管理情報領域を離隔して設けてもよく、例えば、下端部にはＡ社、上端部にはＢ社というように分けてもよい。
【符号の説明】
【００５１】
１０  パチンコ機（弾球遊技機）
３０  主制御基板（回路基板）
３０ａ  電子部品実装領域
３０ｂ  管理情報領域
４０，４１，４２，４３，４４  遮蔽部材
５  ケース部材
５ａ  蓋部
５ｂ  ベース部
５５０  表壁部の下端部
Ｐ  カシメピン（ピン部材）
【図１】
2014030708.tif 000003
【図２】
2014030708.tif 000004
【図３】
2014030708.tif 000005
【図４】
2014030708.tif 000006
【図５】
2014030708.tif 000007
【図６】
2014030708.tif 000008
【図７】
2014030708.tif 000009
【図８】
2014030708.tif 000010
【図９】
2014030708.tif 000011
【図１０】
2014030708.tif 000012
【図１１】
2014030708.tif 000013
【図１２】
2014030708.tif 000014